(57)【要約】【課題】原稿の両面読み取りが可能な画像処理装置のデータ伝送手段のデータ伝送容量を効率よく利用し、読み取り画像データの両面同時伝送を行う。【解決手段】原稿の表面の画像を読み取るＣＣＤ２１を備えた第１の画像読み取り手段から出力される画像データと、原稿の裏面の画像を読み取るＣＣＤ２３を備えた第２の画像読み取り手段から出力される第２の画像データとを共通のクロックタイミングを利用して多重化し、データバスを介して両面同時伝送を行う。【選択図】図３
2008118426.tif 000002
【特許請求の範囲】
【請求項１】
原稿の一方の面の画像を読み取り、その画像情報を生成する第１の画像読み取り手段と、
原稿の他方の面の画像を読み取り、その画像情報を生成する第２の画像読み取り手段と、
前記第１の画像読み取り手段から出力される第１の画像情報と、前記第２の画像読み取り手段から出力される第２の画像情報とを共通の基準信号を利用して多重化する回線多重化手段と
を備えることを特徴とする画像処理装置。
【請求項２】
前記第１の画像情報の解像度および前記第２の画像情報の解像度を設定する解像度設定手段と、
前記第１の画像情報または前記第２の画像情報を伝送可能な、情報伝送容量を有する情報伝送手段と、
を備え、
前記第１の画像情報の伝送に必要な情報伝送容量と前記第２の画像情報の伝送に必要な情報伝送容量との和が前記情報伝送手段の情報伝送容量に達しない値に前記解像度が設定されている場合に前記多重化が行われること
を特徴とする請求項１に記載の画像処理装置。
【請求項３】
前記情報伝送手段の情報伝送容量は、前記第１の画像情報の解像度および前記第２の画像情報の解像度が最大値に設定された場合に、前記第１の画像情報または前記第２の画像情報のいずれかを伝送可能な値を有していること
を特徴とする請求項１または２に記載の画像処理装置。
【請求項４】
前記多重化が可能であるのか否かを判定する判定手段を備え、
前記判定手段が、前記多重化が可能でないと判定した場合に、
前記判定手段が、前記画像読み取り手段に撮像した画像の画像情報を保持する保持手段を備えているか否かを判定すること
を特徴とする請求項１〜３のいずれかに記載の画像処理装置。
【請求項５】
前記多重化が可能であるのか否かを判定する判定手段と、
前記画像読み取り手段に撮像した画像の画像情報を保持する保持手段と
を備え、
前記判定手段が、前記多重化が可能でないと判定した場合に、
前記判定手段が、前記保持手段に画像情報を保持できる記憶容量があるか否かを判定すること
を特徴とする請求項１〜３のいずれかに記載の画像処理装置。
【請求項６】
コンピュータに、
原稿の一方の面の画像を読み取らせて第１の画像情報を生成させ、
原稿の他方の面の画像を読み取らせて第２の画像情報を生成させ、
前記第１の画像情報と、前記第２の画像情報とを共通の基準信号を利用して多重化させること
を特徴とするプログラム。
【請求項７】
前記第１の画像情報および前記第２の画像情報は、所定の解像度に設定されており、
前記第１の画像情報の伝送に必要な情報伝送容量と前記第２の画像情報の伝送に必要な情報伝送容量との和が前記情報伝送手段の情報伝送容量に達しない値に前記解像度が設定されている場合に前記多重化が行われること
を特徴とする請求項６に記載のプログラム。
【請求項８】
前記多重化が可能であるのか否かを判定させ、
前記多重化が可能でないと判定された場合に、前記第１の画像情報または前記第２の画像情報を保持させること
を特徴とする請求項６または７に記載のプログラム。
【請求項９】
前記多重化が可能であるのか否かを判定させ、
前記多重化が可能でないと判定された場合に、
前記第１の画像情報または前記第２の画像情報を保持できる記憶容量があるか否かを判定させること
を特徴とする請求項６または７に記載のプログラム。
【発明の詳細な説明】
【技術分野】
【０００１】
本発明は、画像処理装置およびプログラムに関する。
【背景技術】
【０００２】
原稿の両面を２つの撮像手段で読み取り、それらの画像データに適当な画像処理を施し、それを出力（例えば印刷や画像データとして通信回線や電子記録媒体に出力）する機能を有している画像処理装置が知られている。このような画像処理装置は、原稿の両面を２つの撮像手段で読み取り、それらの画像データを保持する画像保持装置に伝送している。これらの技術については、例えば特許文献１〜５に記載されている。
【０００３】
【特許文献１】特開２００５−２４２９１７
【特許文献２】特開２００５−２６０８４４
【特許文献３】特開２００５−２６０８４５
【特許文献４】特開２００５−２６０８４６
【特許文献５】特開平８−６５４５４
【発明の開示】
【発明が解決しようとする課題】
【０００４】
本発明は、データ伝送手段の伝送可能なデータ伝送容量を効率良く利用することができる技術を提供することを目的とする。
【課題を解決するための手段】
【０００５】
請求項１に記載の発明は、原稿の一方の面の画像を読み取り、その画像情報を生成する第1の画像読み取り手段と、原稿の他方の面の画像を読み取り、その画像情報を生成する第２の画像読み取り手段と、前記第1の画像読み取り手段から出力される第1の画像情報と、前記第２の画像読み取り手段から出力される第２の画像情報とを共通の基準信号を利用して多重化する回線多重化手段とを備えることを特徴とする画像処理装置である。
【０００６】
請求項２に記載の発明は、請求項１に記載の発明において、第１の画像情報の解像度および第２の画像情報の解像度を設定する解像度設定手段と、第１の画像情報または第２の画像情報を伝送可能な、情報伝送容量を有する情報伝送手段と、を備え、第１の画像情報の伝送に必要な情報伝送容量と第２の画像情報の伝送に必要な情報伝送容量との和が情報伝送手段の情報伝送容量に達しない値に解像度が設定されている場合に多重化が行われることを特徴とする。
【０００７】
請求項３に記載の発明は、請求項１または請求項２に記載の発明において、情報伝送手段の情報伝送容量は、第１の画像情報の解像度および第２の画像情報の解像度が最大値に設定された場合に、第１の画像情報または第２の画像情報のいずれかを伝送可能な値を有していることを特徴とする。
【０００８】
請求項４に記載の発明は、請求項１〜３のいずれかに記載の発明において、多重化が可能であるのか否かを判定する判定手段を備え、この判定手段が、多重化が可能でないと判定した場合に、判定手段が、画像読み取り手段に撮像した画像の画像情報を保持する保持手段を備えているか否かを判定することを特徴とする。
【０００９】
請求項５に記載の発明は、請求項１〜３のいずれかに記載の発明において、多重化が可能であるのか否かを判定する判定手段と、画像読み取り手段に撮像した画像の画像情報を保持する保持手段とを備え、判定手段が、多重化が可能でないと判定した場合に、判定手段が、保持手段に画像情報を保持できる記憶容量があるか否かを判定することを特徴とする。
【００１０】
請求項６に記載の発明は、コンピュータに、原稿の一方の面の画像を読み取らせて第１の画像情報を生成させ、原稿の他方の面の画像を読み取らせて第２の画像情報を生成させ、第１の画像情報と、第２の画像情報とを共通の基準信号を利用して多重化させることを特徴とするプログラムである。
【００１１】
請求項７に記載の発明は、請求項６に記載の発明において、第１の画像情報および第２の画像情報は、所定の解像度に設定されており、第１の画像情報の伝送に必要な情報伝送容量と第２の画像情報の伝送に必要な情報伝送容量との和が情報伝送手段の情報伝送容量に達しない値に解像度が設定されている場合に多重化が行われることを特徴とする。
【００１２】
請求項８に記載の発明は、請求項６または７に記載の発明において、多重化が可能であるのか否かを判定させ、多重化が可能でないと判定された場合に、第１の画像情報または第２の画像情報を保持させることを特徴とする。
【００１３】
請求項９に記載の発明は、請求項６または７に記載の発明において、多重化が可能であるのか否かを判定させ、多重化が可能でないと判定された場合に、第１の画像情報または第２の画像情報を保持できる記憶容量があるか否かを判定させることを特徴とする。
【発明の効果】
【００１４】
請求項１に記載の発明によれば、画像データを多重化し同時伝送を行うことができるので、データ伝送手段の伝送可能なデータ伝送容量を効率良く利用することができる。また、画像データの同時伝送を行うことができるので、伝送スピードをあげて生産性を上げることができる。
【００１５】
請求項２に記載の発明によれば、画像データの解像度の設定により画像データの多重化が行われるため、データ伝送手段の伝送可能なデータ伝送容量を効率良く利用することができる。
【００１６】
請求項３に記載の発明によれば、解像度が最大に設定されていた場合であっても、伝送手段は原稿の一方の面の画像データを伝送することができる。
【００１７】
請求項４に記載の発明によれば、両面画像データの多重化ができない場合に、画像データの順次伝送が可能であるのか否か、を判定することでそれに対応することができる。
【００１８】
請求項５に記載の発明によれば、両面画像データの多重化ができない場合に、画像データの順次伝送が可能であるのか否か、を判定することでそれに対応することができる。
【００１９】
請求項６に記載の発明によれば、コンピュータに画像データを多重化し同時伝送を行わせることができるので、データ伝送手段の伝送可能なデータ伝送容量を最大限利用することができる。また、画像データの同時伝送を行うことができるので、伝送スピードをあげて生産性を上げることができる。
【００２０】
請求項７に記載の発明によれば、コンピュータに画像データの解像度の設定により画像データの多重化を行わせるため、データ伝送手段の伝送可能なデータ伝送容量を効率良く利用することができる。
【００２１】
請求項８に記載の発明によれば、両面画像データの多重化ができない場合に、画像データの順次伝送が可能であるのか否か、を判定することでそれに対応することができる。
【００２２】
請求項９に記載の発明によれば、両面画像データの多重化ができない場合に、画像データの順次伝送が可能であるのか否か、を判定することでそれに対応することができる。
【発明を実施するための最良の形態】
【００２３】
（１）第１の実施形態
(構成)
図１は、発明を利用した画像処理装置の一例を示すブロック図である。図１には、画像処理装置１０が示されている。画像処理装置１０は、原稿の両面を２つの撮像手段で読み取り、それらの画像データに適当な画像処理を施し、それを出力（例えば印刷や画像データとして通信回線や電子記録媒体に出力）する機能を有している。
【００２４】
画像処理装置１０は、画像読み取り部２０、画像データ伝送部３０、画像処理部４０および画像出力部５０を備えている。画像読み取り部２０は、原稿の画像を光学的に読み取り、その画像データを生成する。この例において、画像読み取り部２０は、原稿の表面および裏面の画像を一動作で読み取り、両面の画像データを生成する機能を有している。画像データ伝送部３０は、画像読み取り部２０から出力される画像データを次段の画像処理部４０に伝送する。装置の構造上、画像読み取り部２０と画像処理部４０とは離れているので、画像データ伝送部３０は、パラレル伝送ケーブル、シリアル伝送ケーブルあるいは光ケーブル等により構成される。
【００２５】
画像処理部４０は、受け取った画像データに対する画像処理を行う。画像出力部５０は、印刷物として画像を出力する機能、画像データを通信回線に出力する機能、画像データを記憶サーバや適当な記憶装置（例えばハードディスク装置）に出力する機能、あるいはこれら機能の複数を備えた機能を有する。画像読み取り部２０は、ＣＣＤ２１、ＣＣＤコントローラ２２、ＣＣＤ２３、ＣＣＤコントローラ２４、ビデオクロック信号生成装置２５、バッファメモリ２６、回線多重化装置(Multiplexer)２７および解像度設定装置２８を備えている。
【００２６】
ＣＣＤ２１は、原稿の表面の画像を読み取る撮像装置である。ＣＣＤコントローラ２２は、ＣＣＤ２１の動作を制御すると共に、ＣＣＤ２１の出力に基づいて画像データを生成する。ＣＣＤ２３は、原稿の裏面の画像を読み取る撮像装置である。ＣＣＤコントローラ２４は、ＣＣＤ２３の動作を制御すると共に、ＣＣＤ２３の出力に基づいて画像データを生成する。ビデオクロック信号生成装置２５は、画像データの伝送の基準信号となるビデオクロック信号(VCLK)を生成し、それをＣＣＤコントローラ２２と２４に出力する。
【００２７】
ＣＣＤコントローラ２２と２４は、所定単位のデータ量（例えばライン単位のデータ）をバッファリングできる図示省略したバッファメモリを備えている。ビデオクロック信号生成装置２５から出力されるビデオクロック信号(VCLK)に基づいて、これらバッファメモリでの画像データのバッファリングを行うことで、ＣＣＤコントローラ２２および２４から出力される画像データの出力タイミングを合わせることができる。バッファメモリ２６は、ＣＣＤ２３で撮像した画像の画像データを一時的に保持する。
【００２８】
回線多重化装置２７は、原稿の表面画像の画像データと原稿の裏面画像の画像データとを多重化する機能を有する。多重化の仕組みについては後述する。回線多重化装置２７で多重化された画像データは、後述する３２bitデータバス３１を利用して後段の画像処理系に伝送される。解像度設定装置２８は、画像処理装置１０の画像調整機能に基づいてカラー画像の解像度（階調表示の度合い）を設定すると共に、その設定された解像度設定データをＣＣＤコントローラ２２と２４に出力する。
【００２９】
画像データ伝送部３０は、３２bitのデータを伝送可能なデータ伝送容量を有する３２bitデータバス３１を備えている。３２bitデータバス３１は、ＹＭＣＫの各基本色で構成されるカラー画像を伝送するためのデータ伝送路であり、各基本色として８bit（２５６階調）の階調データを伝送可能な容量を有している。また、３２bitデータバス３１には、３２bitの容量の他にビデオクロック信号(VCLK)、ラインシンク信号(LS)およびページシンク信号(PS)を伝送する伝送経路が併設している。
【００３０】
ここで、ビデオクロック信号(VCLK)は、画像データの伝送の基準信号となるクロック信号であり、ラインシンク信号(LS)は、画像データにおけるラインの位置に関する情報を伝える信号であり、ページシンク信号(PS)は、画像データのページの位置に関する情報を伝える信号である。なお、ラインシンク信号(LS)およびページシンク信号(PS)は、ビデオクロック信号(VCLK)に基づいて生成される。
【００３１】
画像処理部４０は、回線分離装置(Diplexer)４１および画像処理回路４２を備えている。回線分離装置(Diplexer)４１は、多重化された両面の画像データを各面の画像データに分離する。なお、３２bitデータバス３１を利用して原稿片面の画像データのみを送る際には、多重化は行われない。この場合、３２bitデータバス３１を利用した片面毎の画像データの伝送となる。画像処理回路４２は、回線分離装置４１から出力された読み取り原稿片面の画像データに対して、各種の画像処理を行う機能を有する。この画像処理には、色変換処理、解像度変換処理、拡大縮小処理、フィルタリング処理等が含まれる。
【００３２】
（両面の画像データを順次伝送する場合の動作）
以下、原稿の両面同時読み取りにおいて、読み取った画像データを片面ずつ順次画像処理部４０に伝送する場合の一例を説明する。図２は、図１に示す画像処理装置１０において、画像読み取り部２０で読み取った原稿両面の画像データを、片面ずつ画像データ伝送部３０を介して画像処理部４０に送る場合の動作形態を示す概念図である。
【００３３】
まず、原稿の両面がＣＣＤ２１とＣＣＤ２３によって同時（勿論、少しタイミングがずれていても構わない）に走査しつつ撮像される。そして、原稿表面の画像データがＣＣＤコントローラ２２によって生成され、原稿裏面の画像データがＣＣＤコントローラ２４によって生成される。
【００３４】
ここでは、画像伝送部３０を利用してまず表面の画像データを伝送し、その後に裏面の画像データを伝送する。そのために、まずＣＣＤコントローラ２２から３２bitデータバス３１を介して画像データ（表面側の画像データ）を画像処理回路４２に送る。なお、当該画像データのビデオクロック信号(VCLK)、ラインシンク信号(LS)およびページシンク信号(PS)は、３２bitデータバス３１に併設された伝送経路を介して伝送される。またこの際、回線多重化装置２７の多重化機能と回線分離装置４１の分離機能は機能しない。
【００３５】
一方、ＣＣＤコントローラ２４から出力される画像データ（裏面側の画像データ）は、バッファメモリ２６に一時記憶させ、上記ＣＣＤコントローラ２２からの画像データ（表面側の画像データ）の伝送が終了するまで待機する。画像データ（表面側の画像データ）の伝送が終了したら、バッファメモリ２６にバッファリングされていたＣＣＤコントローラ２３からの画像データ（裏面側の画像データ）が、３２bitデータバス３１を介して画像処理回路４２に送られる。この際、当該画像データのビデオクロック信号(VCLK)、ラインシンク信号(LS)およびページシンク信号(PS)は、３２bitデータバス３１に併設された伝送経路を介して伝送される。
【００３６】
こうして原稿の表裏面の画像データが画像読み取り部２０から画像処理部４０に順次伝送される。この表裏面の画像データの伝送においては、ＹＭＣＫ各基本色を８bit（２５６通り）の階調データとして伝送することができる。つまり、３２bitデータバス３１の回線容量を最大限発揮した画像データの伝送を行うことができる。
【００３７】
（両面の画像データを同時に伝送する場合の動作）
以下、原稿の両面同時読み取りにおいて、読み取った画像データを両面同時に画像処理部４０に伝送する場合の一例を説明する。この場合、表裏面の各画像は、ＹＭＣＫの各基本色が３bit程度以下の階調により表現される画像となる。つまり、解像度を低くして伝送する画像の画像情報のbit数を落とし、それにより生じる、３２bitデータバス３１の空き容量を利用して他方の面の画像（この画像の画像情報のビット数も落とす必要がある）を伝送する。これにより、８bitを全て利用した場合に比較して、解像度は低下するが、両面の画像データを同時に伝送することができる。
【００３８】
以下、具体的な一例を説明する。ここでは、一例としては表裏面の画像データにおけるＹＭＣＫの各基本色が１bitのデータである場合を説明する。つまり、解像度が１bitに設定されている場合の例を説明する。図３は、図１に示す画像処理装置１０において、画像読み取り部２０で読み取った原稿両面の画像データを、同時に画像データ伝送部３０を介して画像処理部４０に送る場合の動作形態を示す概念図である。
【００３９】
この場合、図示しない原稿の両面がＣＣＤ２１および２３によって読み取られる。この読み取った表裏面における画像の画像データは、ＣＣＤコントローラ２２および２４から出力される。この際、ビデオクロック信号生成装置２５から生成されるビデオクロック信号(VCLK) を利用して、両画像データの出力タイミングの同期が確保される。
【００４０】
ＣＣＤコントローラ２２および２４から出力される画像データは、画像多重化装置(Multiplexer)２７において多重化される。この多重化は以下のようにして行なわれる。この場合、ＣＣＤコントローラ２２から出力される表面の画像データのＹＭＣＫのデータは、１bitであるので、３２bitデータバス３１には空がある。この空部分を利用して、ＣＣＤコントローラ２４から出力される裏面の画像データのＹＭＣＫのデータと、そのラインシンク信号(LS)およびページシンク信号(PS)を伝送する。この際、ＣＣＤコントローラ２２および２４から出力される画像データは、共通のビデオクロック信号(VCLK) により同期しているので、３２bitデータバス３１上で同時に伝送することができる。
【００４１】
３２bitデータバス３１を介して伝送された両面の画像データは、回線分離装置(Diplexer)４１で表面側の画像データと裏面側の画像データとに分離される。分離された画像データは、画像処理回路４２内の図示しないバッファメモリに取り込まれ、次いで画像処理が施される。
【００４２】
図３に示す例では、表裏面の画像データにおける各基本色画像のbit数が１bitであるので、各基本色を８bit伝送できる３２bitデータバス３１には、容量の空がある。なお、この例でいうと、片面のラインシンク信号(LS)およびページシンク信号(PS)を、３２bitデータバス３１の一部を用いて伝送するので、３２bit全てをＹＭＣＫに割り振ることはできない。なお、表裏面の画像に割り振るbit数は、均等でなくてもよい。
【００４３】
（２）第２の実施形態
(構成)
図４は、発明を利用した画像処理装置の一例を示すブロック図である。図４に示す画像処理装置は、図１に示す画像処理装置１０に制御装置２９を加えた構成を有している。なお、制御装置２９以外の構成は、図１に示す画像処理装置１０と同じである。制御装置２９は、ＣＣＤコントローラ２２と２４、画像多重化装置(Multiplexer)２７および回線分離装置４１を制御する。
【００４４】
図５は、制御装置２９の概要を示すブロック図である。制御装置２９は、ＣＰＵ(central processing unit)６１、ＲＯＭ(read only memory)６２、ＲＡＭ(random access memory)６３およびインターフェース部６４を備えている。ＣＰＵ６１は、後述する動作手順を実行する機能を有する。ＲＯＭ６２は、後述する動作手順を実行するための動作プログラムおよびその動作に必要なデータが記憶されている。このデータの中には、後述する動作手順において利用される選択条件も含まれる。
【００４５】
ＲＡＭ６３は、後述する動作手順の実行時において、プログラムデータや各種のデータを一時的に記憶するワーキングエリア、および後述する動作手順において得られる各種のデータを記憶する記憶手段として機能する。ＲＡＭ６３には、不揮発性メモリも含まれており、必要なデータは、電源をＯＦＦにしても保持される。インターフェース部６４は、ＣＰＵ６１において実行された処理の結果を図４のＣＣＤコントローラ２２と２４、画像多重化装置(Multiplexer)２７および回線分離装置４１に出力し、また必要なデータを制御装置２９内に取り込む。
【００４６】
（動作例）
図６は、図４に示す構成を備えた画像処理装置のモード選択処理手順の一例を示すフローチャートである。図６のフローチャートに示す処理の手順を実行するための動作プログラムは、図５のＲＯＭ６２に記憶されている。
【００４７】
この例においては、モード選択の処理が開始されると（ステップＳ６０１）、解像度設定装置２８で設定された解像度レベルが取得される（ステップＳ６０２）。ステップＳ６０２の後、画像データの多重化が可能であるのか否か、を判定する処理が実行される（ステップＳ６０３）。この判定の基準は、所定の解像度とその解像度を実現するために必要なデータ量とに基づいて予め求め、それをＲＯＭ６２内に記憶させておいたものを利用する。
【００４８】
この判定では、表面の画像データの伝送に必要なデータ伝送容量と裏面の画像データの伝送に必要なデータ伝送容量との和が、３２bitデータバス３１のデータ伝送容量に達しない値か否か、が判定される。一例としてＣＣＤコントローラ２２および２４から出力される画像データの解像度が、ＹＭＣＫの各基本色の階調として４bitのデータが必要な解像度に設定されている場合を考える。この場合、表面の画像データの伝送に必要なデータ伝送容量と裏面の画像データの伝送に必要なデータ伝送容量との和は、（４bit×４）×２となるので、その値は３２bitデータバス３１のデータ伝送容量（３２bit）に達しており（以上であり）、ステップＳ６０３の判定はＮＯとなる。
【００４９】
また他の一例として、ＣＣＤコントローラ２２および２４から出力される画像データの解像度が、ＹＭＣＫの各基本色の階調として３bitのデータが必要な解像度に設定されている場合を考える。この場合、表面の画像データの伝送に必要なデータ伝送容量と裏面の画像データの伝送に必要なデータ伝送容量との和は、（３bit×４）×２となるので、その値は３２bitデータバス３１のデータ伝送容量（３２bit）に達しておらず（未満であり）、ステップＳ６０３の判定はＹＥＳとなる。
【００５０】
なお、表面の画像データの伝送に必要なデータ伝送容量と裏面の画像データの伝送に必要なデータ伝送容量との和が、３２bitデータバス３１のデータ伝送容量と等しい場合に、多重化が不可であると判定されるのは、多重化に際して、片面の画像データのラインシンク信号(LS)とページシンクシング(PS)とを３２bitデータバス３１の空き回線を利用して伝送するので、ＹＭＣＫのデータだけで３２bitデータバス３１の回線を全て占有することができないからである。
【００５１】
画像データの多重化が可能であれば、両面伝送モードにする設定を行い（ステップＳ６０４）、モード選択の処理が終了する（ステップＳ６０９）。ここで、両面伝送モードというのは、図３に示す画像データの伝送モードのことである。ステップＳ６０３の判定がＮＯである場合、ステップＳ６０５に進む。ステップＳ６０５においては、撮像した画像の画像データを一時的に保持する図４に示すバッファメモリ２６が有るか否か、を判定する処理が実行される。バッファメモリ２６があれば、さらにステップＳ６０６に進み、画像データを保持できるメモリ容量があるか否か、を判定する処理が実行される。
【００５２】
バッファメモリ２６の容量が足りれば、片面伝送モードにする設定を行い（ステップＳ６０７）、モード選択の処理が終了する（ステップＳ６０９）。ここで、片面伝送モードというのは、図２に示す原稿の表裏面の画像データが画像読み取り部２０から画像処理部４０に順次伝送されるモードのことである。ステップＳ６０６の判定がＮＯである場合、片面読み取りモードにする設定を行い（ステップＳ６０８）、モード選択の処理が終了する（ステップＳ６０９）。片面読み取りモードでは、原稿の両面同時読み取りは行わず片面ずつ読み取りを行う。まず、画像読み取り部２０で読み取った片面の画像データを、画像データ伝送部３０を介して画像処理部４０に伝送し、その後、残りの面の読み取りを行う。
【００５３】
一方、図４に示すバッファメモリ２６を備えていない画像処理装置の場合には、ステップＳ６０５の判定がＮＯとなり、片面読み取りモードにする設定を行い（ステップＳ６０８）、モード選択の処理が終了する（ステップＳ６０９）。
【００５４】
（３）第３の実施形態
図４に示すバッファメモリ２６を備えている、またはバッファメモリ２６を備えていない画像処理装置の場合に、図６のステップＳ６０８で設定される片面読み取りモードにする処理を、画像データの多重化が可能であると図６のステップＳ６０３で判定され両面伝送モードの選択となるように解像度レベルを下げる処理とし、再度モード選択の処理を開始するモード選択処理手順としてもよい。つまり、両面伝送が行えるレベルにまで、解像度を落とす処理を実行し、解像度は犠牲になるが、両面伝送を行えるようにしてもよい。
【００５５】
また、図４に示すバッファメモリ２６を備えている画像処理装置１０の場合に、図６のステップＳ６０８で設定される片面読み取りモードにする処理を、画像データを保持できるメモリ容量があると図６のステップＳ６０６で判定され片面伝送モードの選択となるように解像度レベルを下げる処理とし、再度モード選択の処理を開始するモード選択処理手順としてもよい。つまり、片面毎の画像データを順次伝送するためのバッファリングが可能な解像度にまで、解像度を落とする処理を実行し、解像度は犠牲になるが、確実に画像の伝送が行えるようにしてもよい。
【００５６】
以上の例示に説明において、図６に示すフローチャートを実行するためのプログラムやその他明細書中で説明した動作を実行するためのプログラムは、装置内のＲＯＭに記憶させておくだけではなく、その他の半導体メモリ、光ディスク記憶装置、磁気ディスク記憶装置、光磁気ディスク記憶装置等の適当な記憶媒体に記憶させて提供することができる。
【産業上の利用可能性】
【００５７】
本発明は、カラープリンタ、ＦＡＸ、カラー複写機、これらの複合機といった画像処理装置に利用することができる。
【図面の簡単な説明】
【００５８】
【図１】発明を利用した画像処理装置の一例を示すブロック図である。
【図２】図１に示す画像処理装置で両面の画像データを順次伝送する場合の動作形態を示す概念図である。
【図３】図１に示す画像処理装置で両面の画像データを同時に伝送する場合の動作形態を示す概念図である。
【図４】発明を利用した画像処理装置の一例を示すブロック図である。
【図５】制御装置の概要を示すブロック図である。
【図６】モード選択処理手順の一例を示すフローチャートである。
【符号の説明】
【００５９】
１０…画像処理装置。
【図１】
2008118426.tif 000003
【図２】
2008118426.tif 000004
【図３】
2008118426.tif 000005
【図４】
2008118426.tif 000006
【図５】
2008118426.tif 000007
【図６】
2008118426.tif 000008